(57)【要約】【課題】無線通信に及ぼす影響が大きい材質や塗装を有する外装部材を備えた電子機器で、外装部材の堅牢性を確保しつつ、所望の距離での通信を容易に実現可能なアンテナの設置構造を得る。【解決手段】電子機器の外装を構成する第１外装部材の表面に、磁性体からなる基部と無線通信用のアンテナ部を順に積層して支持し、アンテナ部の外側を非金属製の第２外装部材で覆う構成とした。【選択図】図６
2017011659.tif 000002
【特許請求の範囲】
【請求項１】
電子機器の外装を構成する第１外装部材の表面に、磁性体からなる基部と無線通信用のアンテナ部を順に積層して支持し、前記アンテナ部の外側を非金属製の第２外装部材で覆ったことを特徴とするアンテナ設置構造。
【請求項２】
請求項１記載のアンテナ設置構造において、前記第１外装部材の表面に平面状の支持面を備え、前記基部と前記アンテナ部はそれぞれ前記支持面上に支持される平板形状であるアンテナ設置構造。
【請求項３】
請求項２記載のアンテナ設置構造において、前記第１外装部材は前記支持面を底面とする凹部を有し、前記支持面上に前記基部と前記アンテナ部を支持した状態で、前記アンテナ部の少なくとも一部が前記第１外装部材の表面よりも外方に突出するアンテナ設置構造。
【請求項４】
請求項３記載のアンテナ設置構造において、前記凹部は略矩形であり、該凹部を囲む４辺のうち少なくとも３辺に沿う領域で、前記アンテナ部が前記第１外装部材の表面よりも外方へ突出するアンテナ設置構造。
【請求項５】
請求項１ないし４のいずれか１記載のアンテナ設置構造において、前記アンテナ部から延設されるリード線が、前記第１外装部材に形成した貫通穴を通して前記第１外装部材の内側に挿入され、前記貫通穴が接着剤によって液密に塞がれるアンテナ設置構造。
【請求項６】
請求項１ないし５のいずれか１記載のアンテナ設置構造を備えたことを特徴とする撮像装置。
【請求項７】
請求項６記載の撮像装置において、前記基部と前記アンテナ部は、前記撮像装置のうち把持用のグリップ部の側面に支持され、前記第２外装部材はグリップ部の外面を覆うグリップゴムである撮像装置。
【請求項８】
請求項６または７記載の撮像装置において、前記基部と前記アンテナ部はそれぞれ、撮影光学系の光軸に対して傾斜する面に沿う平板形状である撮像装置。
【請求項９】
請求項７または８記載の撮像装置において、前記グリップ部の側面から突出する突起部を有し、前記基部と前記アンテナ部は、撮影光学系の光軸方向で前記突起部と位置を異ならせて支持される撮像装置。
【請求項１０】
請求項９記載の撮像装置において、前記基部と前記アンテナ部はそれぞれ、撮影光学系の光軸方向で前記突起部に近づくにつれて、前記光軸から離れる方向に傾斜して支持されている撮像装置。
【発明の詳細な説明】
【技術分野】
【０００１】
本発明は、電子機器における無線通信用のアンテナ設置構造と、無線通信用のアンテナを備えた撮像装置に関する。
【背景技術】
【０００２】
近年、携帯電話、スマートフォン、タブレット型コンピュータ、デジタルカメラなど、様々な電子機器に近距離無線通信（Near Field Communication：NFC）機能が搭載されている。これらの電子機器には近距離無線通信用のアンテナが内蔵されており、互いのアンテナの距離が所定以下になるように電子機器を近接させると通信が可能になる。
【０００３】
電子機器では堅牢性や高級感を得るために外装部材に金属材料を用いる場合があり、例えばデジタルカメラでは、強度と軽量さの点で優れているマグネシウム合金製の外装部材の採用が増えている。このような金属製の外装部材の内側に近距離無線通信用のアンテナを配置すると、外装部材が悪影響を及ぼして通信の性能が低下して所望の通信距離を達成できないおそれがある。その対策としてアンテナを覆わないように大型の開口部を外装部材に形成すると、外装部材の堅牢性が損なわれるという問題があった。なお、全体を金属材料で構成した外装部材に限らず、合成樹脂などの非金属材料で形成した外装部材本体に金属粉を含む塗料を塗装したタイプの外装部材や、非金属材料で形成した外装部材本体に電磁波吸収性の高い塗料を塗装したタイプの外装部材などにおいても、同様の問題が生じ得る。
【０００４】
特許文献１では、カメラモジュールを搭載した電子機器で、カメラモジュールにおけるレンズの周辺位置にアンテナを配置し、撮影用の開口部を通信に利用することで金属製の外装部材における開口部の拡張を防ぐ発明が記載されている。
【先行技術文献】
【特許文献】
【０００５】
【特許文献１】特開２０１５-４３５６７号公報
【発明の概要】
【発明が解決しようとする課題】
【０００６】
特許文献１の電子機器は、アンテナの設置位置がレンズ周辺に限られることや、アンテナの形状や大きさがレンズ周りのスペースに対応するものに制約されて所望の通信距離を達成しにくいという課題がある。
【０００７】
そこで本発明は、無線通信に及ぼす影響が大きい材質や塗装を有する外装部材を備えた電子機器で、外装部材の堅牢性を確保しつつ、所望の距離での通信を容易に実現可能なアンテナの設置構造を得ることを目的とする。本発明はまた、外装部材の堅牢性に優れると共に、所望の距離での通信を容易に実現可能な撮像装置を得ることを目的とする。
【課題を解決するための手段】
【０００８】
本発明のアンテナ設置構造は、電子機器の外装を構成する第１外装部材の表面に、磁性体からなる基部と無線通信用のアンテナ部を順に積層して支持し、アンテナ部の外側を非金属製の第２外装部材で覆ったことを特徴としている。
【０００９】
第１記外装部材の表面に平面状の支持面を備え、基部と前記アンテナ部はそれぞれ支持面上に支持される平板形状であることが好ましい。
【００１０】
第１外装部材は支持面を底面とする凹部を有し、支持面上に基部とアンテナ部を支持した状態で、アンテナ部の少なくとも一部が第１外装部材の表面よりも外方に突出することが好ましい。より好ましくは、第１外装部材に形成する凹部は略矩形であり、該凹部を囲む４辺のうち少なくとも３辺に沿う領域で、アンテナ部が第１外装部材の表面よりも外方へ突出するとよい。
【００１１】
アンテナ部から延設されるリード線を、第１外装部材に形成した貫通穴を通して第１外装部材の内側に挿入し、貫通穴を接着剤によって液密に塞ぐことが好ましい。
【００１２】
以上のアンテナ設置構造は、無線通信機能を有する撮像装置に好適である。
【００１３】
撮像装置に適用した場合、把持用のグリップ部の側面に基部とアンテナ部を支持し、グリップ部の外面を覆うグリップゴムを第２外装部材として用いることが好ましい。さらに、基部とアンテナ部をそれぞれ、撮影光学系の光軸に対して傾斜する面に沿う平板形状とすることが好ましい。
【００１４】
撮像装置のグリップ部の側面から突出する突起部を有する場合、基部とアンテナ部は、撮影光学系の光軸方向で突起部と位置を異ならせて支持されることが好ましい。さらに、基部とアンテナ部はそれぞれ、撮影光学系の光軸方向で突起部に近づくにつれて、光軸から離れる方向に傾斜して支持されることが好ましい。
【発明の効果】
【００１５】
以上の本発明によれば、第１外装部材の表面に通信用のアンテナを支持し、アンテナの外側を非金属製の第２外装部材で覆うことにより、第１外装部材においてアンテナ通信用の開口部を設けずに堅牢性を確保しつつ、所望のアンテナ通信性能を容易に得ることができる。
【図面の簡単な説明】
【００１６】
【図１】本発明を適用した一眼レフカメラのカメラ本体の前方斜視図である。
【図２】図１と異なる方向から見たカメラ本体の前方斜視図である。
【図３】カメラ本体の後方斜視図である。
【図４】グリップ部の外装ゴム部材を外した状態のカメラ本体の前方斜視図である。
【図５】カメラ本体を構成する前カバーの前方斜視図である。
【図６】前カバーにアンテナユニットを取り付けて構成した前カバーユニットの前方斜視図である。
【図７】アンテナユニットの組み立て過程を示した斜視図である。
【図８】図７の状態にガイド板を取り付けたアンテナユニットの斜視図である。
【図９】アンテナユニットを含む前カバーユニットの一部をグリップ部の内側から見た斜視図である。
【図１０】アンテナ基板から延設されたリード線をカメラ本体の回路基板に接続した状態を示す、図９と同様の斜視図である。
【図１１】グリップ部における前カバーユニットを上面側から見た断面図である。
【図１２】グリップ部における前カバーユニットを正面側から見た断面図である。
【発明を実施するための形態】
【００１７】
本発明を適用した電子機器であるデジタルカメラ（撮像装置）のカメラ本体１０を図１から図４に示す。このデジタルカメラはレンズ交換式の一眼レフカメラであり、カメラ本体１０に対して不図示の交換レンズ（レンズ鏡筒）を着脱することができる。図１と図１１に示す一点鎖線Ｏは交換レンズの撮影光学系の光軸であり、光軸Ｏに沿って被写体光がカメラ本体１０内に入射する。以下の説明における前後、上下、左右の各方向は図中に矢線で示す方向に対応しており、前方が被写体側となる。通常の撮影姿勢ではカメラ本体１０の後方に撮影者が位置し、上下方向や左右方向は、カメラ本体１０を略水平に構えた状態で撮影者から見た方向に対応したものとなる。
【００１８】
カメラ本体１０の前面には、交換レンズを着脱する環状のマウント部１１が設けられている。マウント部１１の内側は被写体光を通過させる光路用の開口部になっており、この開口部の後方のカメラ本体１０の内部には箱型のミラーボックス１２がある。ミラーボックス１２内には左右方向に向く軸を中心として回動可能なクイックリターンミラー１３が設けられている。クイックリターンミラー１３は、図示を省略するミラー駆動機構によって、カメラ本体１０内の撮影光路上に斜設されたミラーダウン位置（図１、図２及び図４に示す位置）と、撮影光路から上方に退避したミラーアップ位置の間で回動する。カメラ本体１０の中央上部には、図示を省略するペンタプリズムを収容したペンタプリズム部１８が設けられている。クイックリターンミラー１３の上方にはペンタプリズムを含む観察光学系が配されており、クイックリターンミラー１３がミラーダウン位置にある状態では、被写体光を観察光学系に導き、カメラ本体１０の後面に設けた接眼窓１４（図３）を通して被写体像を光学的に観察することができる。
【００１９】
図示を省略するが、カメラ本体１０内にはクイックリターンミラー１３の後方に位置するシャッタ（フォーカルプレーンシャッター）と撮像素子が設けられており、クイックリターンミラー１３をミラーアップ位置に回動させてシャッタを開くと、撮像素子に被写体光が入射する。撮像素子で受光した被写体光は光電変換され、画像生成回路によって電子的な画像データに変換される。図３に示すように、カメラ本体１０の後面には液晶モニタ１５が設けられており、被写体画像やカメラに関する各種情報を液晶モニタ１５に表示することができる。
【００２０】
カメラ本体１０は、マウント部１１、ミラーボックス１２及びペンタプリズム部１８などを有する中央の光学系収容部分に対して、右側に位置するグリップ部１６と、左側に位置する左側突出部１７を有している。グリップ部１６は、前方へ突出する指掛け部１６ａからカメラ本体１０の後面における液晶モニタ１５の右側領域までを含む部分であり、指掛け部１６ａに指を掛けて撮影者の右手で把持することを想定した形状になっている。グリップ部１６の側面に吊り金具（突起部）１９が突設され、左側突出部１７の側面と前面の境界部分には吊り金具２０が突設されている。吊り金具１９と吊り金具２０は、図示を省略するストラップの支持に用いられる。
【００２１】
カメラ本体１０の外面にはダイヤルやボタンなどの各種の操作部材が設けられている。カメラ本体１０におけるペンタプリズム部１８の左右の上面部分には、複数のダイヤルが配置され、カメラ本体１０の後面側には、液晶モニタ１５の上側と右側に複数のボタンが配置されている。グリップ部１６の指掛け部１６ａの上面には、電源スイッチ２１、レリーズボタン２２、２つの押しボタン２３、コマンドダイヤル２４が設けられている。電源スイッチ２１によってカメラの電源オンオフを行い、電源オンの状態でレリーズボタン２２を押し込むことで一連の撮影動作が行われる。押しボタン２３やコマンドダイヤル２４によって操作する機能は任意であるが、一例として、押しボタン２３の押し込みによって露出補正やＩＳＯ感度の設定などの設定モードに入り、コマンドダイヤル２４の回転によって設定値を変化させることができる。
【００２２】
グリップ部１６の指掛け部１６ａの前面下部にはリモコン受光窓２５が設けられており、図示を省略する無線型のリモートコントローラーからの赤外線信号をリモコン受光窓２５で受信する。グリップ部１６の内部に電池収納室が形成され、カメラ本体１０の下面に設けた開閉可能な電池蓋を開くことで電池収納室への電池の挿脱を行うことができる。また、カメラ本体１０の下面には三脚ネジ部が形成されている。電池収納室、電池蓋及び三脚ネジ部は図面には表れていない。
【００２３】
図３に示すように、グリップ部１６のうち指掛け部１６ａよりも後方部分の側面（カメラ本体１０の右側面の後縁付近）には、開閉可能なカード蓋３１が設けられている。カード蓋３１の内側には、画像データ記録用のメモリカードを挿入するカードスロットが配されており、カード蓋３１を開くことでカードスロットへのメモリカードの挿脱が可能となる。カード蓋３１の下部には、開閉可能なレリーズ蓋３２が設けられている。レリーズ蓋３２の内側にはケーブルレリーズ挿入部が設けられており、レリーズ蓋３２を開くことで、図示を省略するケーブルレリーズ（有線接続のレリーズ操作部材）をケーブルレリーズ挿入部に接続することができる。
【００２４】
図２に示すように、左側突出部１７の側面（カメラ本体１０の左側面）には、開閉可能なコネクタ蓋３３が設けられている。コネクタ蓋３３の内側には、外部電源を接続する電源ジャック、映像信号や音声信号などの通信に用いるHDMI（High Definition Multimedia Interface）コネクタ、USB（Universal Serial Bus）コネクタなどの各種接続部が設けられており、コネクタ蓋３３を開くことでこれらの接続部へのアクセスが可能になる。コネクタ蓋３３の上方には開閉可能な端子蓋３４が設けられている。端子蓋３４の内側にはヘッドホンジャックとマイクジャックが設けられており、端子蓋３４を開くことでこれらの端子へのアクセスが可能になる。
【００２５】
カメラ本体１０内には、図１０に一部を示す回路基板３６が配されている。回路基板３６はフレキシブル基板であり、カメラの制御を担う制御回路や各操作部材の入力を受けるスイッチなど各種の電子部品が回路基板３６上に実装されている。回路基板３６のうち図１０に表れている部分は、グリップ部１６内の上部に配されているグリップ上部基板の一部であり、グリップ上部基板には電源スイッチ２１，レリーズボタン２２，押しボタン２３，コマンドダイヤル２４の操作による入力を受ける複数の接点が設けられている。
【００２６】
カメラ本体１０の外面を形成する外装部品として、前面を覆う前カバー（第１外装部材）４０、後面を覆う後カバー４１、上面を覆う上カバー４２、下面を覆う下カバー４３を有する。このうち前カバー４０を図５と図６に示す。前カバー４０と後カバー４１はそれぞれ、カメラ本体１０の前面や後面に加えて、グリップ部１６の側面（カメラ本体１０の右側面）と左側突出部１７の側面（カメラ本体１０の左側面）まで回り込んで覆う形状になっている。各カバー４０，４１，４２及び４３は金属材料で形成されており、本実施形態ではマグネシウム合金を用いている。さらに、把持性を向上させるために、グリップ部１６において前カバー４０の一部を外装ゴム部材（第２外装部材、グリップゴム）３７で覆い、左側突出部１７において前カバー４０の一部を外装ゴム部材３８で覆っている。外装ゴム部材３７は、電磁波吸収性の高い材質や金属成分を含まないゴムからなり、無線通信を妨げない（前カバー４０に比して無線通信への影響の少ない）外装部材として構成されている。
【００２７】
図１１に示すように、グリップ部１６の外装部分の構成は、側面の中間部分を境として前側の前カバー４０と後側の後カバー４１に別れており、前カバー４０の外側を外装ゴム部材３７で覆っている。より詳しくは、前カバー４０のうち後カバー４１と接する後縁部分には上下方向に延びる側面露出部４４が形成されており、外装ゴム部材３７は、側面露出部４４は覆わずに、側面露出部４４よりも前方の領域（グリップ部１６の指掛け部１６ａ）で前カバー４０を覆っている。図４から図６に示すように、前カバー４０のうち外装ゴム部材３７に覆われる部分には、外装ゴム部材３７の厚み分に応じた凹状の外装ゴム支持部４５が形成されている。図１から図３は外装ゴム支持部４５上に外装ゴム部材３７を取り付けた状態を示し、図４から図６は外装ゴム部材３７を取り付けていない状態を示している。図５と図６に示すように、リモコン受光窓２５は前カバー４０に固定されている。図１と図２に示すように、外装ゴム部材３７にはリモコン受光窓２５を露出させる開口部３７ａが形成されている。
【００２８】
図４から図６に示すように、前カバー４０の表面にはさらに、側面露出部４４の前側に隣接するグリップ部１６の側面上の位置にアンテナベース面（支持面）４６が形成されている。アンテナベース面４６は、上下方向に長い矩形の領域に形成した凹部４６ａの底面であり、平面として形成されている。凹部４６ａの前側、上側及び下側にはそれぞれ、外装ゴム支持部４５の一部である外囲面４５ａ，４５ｂ及び４５ｃが形成されている。外囲面４５ａ，４５ｂ及び４５ｃを基準にすると、アンテナベース面４６はカメラ本体１０の内方（左方）に向けて凹設され、側面露出部４４はカメラ本体１０の外方（右方）へ突出している。凹部４６ａの上端付近には、前カバー４０の内側と外側を貫通する貫通穴４７が形成されている。貫通穴４７の周囲には、外囲面４５ｂとアンテナベース面４６よりもさらに一段深い枠状凹部４８が形成されている。
【００２９】
図４、図６、図１１及び図１２に示すように、アンテナベース面４６には、近距離無線通信（Near Field Communication：NFC）用のアンテナユニット５０が取り付けられる。アンテナユニット５０は、プリント基板上にアンテナ線を周回状に配線した平板状のアンテナ基板（アンテナ部）５１と、アンテナ基板５１の裏側に位置する平板状の磁性シート（基部）５２を貼り合わせて構成されている。磁性シート５２はフェライトなどの磁性材料で形成されている。図１２に断面を拡大して示すように、磁性シート５２は、アンテナ基板５１に隣接して位置する第１磁性シート５２ａと、第１磁性シート５２ａを挟んでアンテナ基板５１から遠い側に位置する第２磁性シート５２ｂを積層した２層構造である。図４、図６から図８に示すように、アンテナ基板５１は前後方向の幅よりも上下方向の長さが大きい細長形状である。磁性シート５２も同様に前後方向の幅よりも上下方向の長さが大きい細長形状であり、さらに第１磁性シート５２ａよりも第２磁性シート５２ｂの方が上下方向に長い（図１２参照）。前後方向の幅は、アンテナ基板５１と磁性シート５２で略共通の大きさである。
【００３０】
図１２に示すように、アンテナ基板５１と磁性シート５２は、アンテナ基板５１と第１磁性シート５２ａの下端位置を概ね揃えた位置関係で積層される。この状態で第２磁性シート５２ｂはアンテナ基板５１と第１磁性シート５２ａの下端よりも下方に長く突出する。図７や図８に示すように、アンテナ基板５１の上端は、磁性シート５２の上端よりも上方に突出する。このアンテナ基板５１の上端突出部分の裏面（アンテナ基板５１のうち磁性シート５２を向く側の面）に設けたアンテナ端子５３にリード線５４が接続する。リード線５４はアンテナ端子５３に対して半田付けされる。アンテナ端子５３とリード線５４はそれぞれ２つ設けられている。図８に示すように、各アンテナ端子５３の周囲は枠状のガイド板５５で囲まれる。
【００３１】
図５はアンテナユニット５０を組み付けていない状態の前カバー４０を示しており、前カバー４０に対してアンテナユニット５０を取り付けると、図６に示す前カバーユニット６０になる。アンテナユニット５０は、アンテナ端子５３が設けられている側を上方に向けると共に、磁性シート５２のうち第２磁性シート５２ｂをアンテナベース面４６に向けた状態（アンテナ基板５１を外側に向けた状態）で凹部４６ａに収められる。第２磁性シート５２ｂにはアンテナベース面４６を向く側の面に粘着面が設けられており、この粘着面をアンテナベース面４６に貼り付けて固定する。なお、アンテナユニット５０を取り扱いやすくするために、前カバー４０に取り付ける前の段階では第２磁性シート５２ｂの粘着面を剥離可能なシートで保護することが好ましい。
【００３２】
図１１に示すように、前後方向においてアンテナユニット５０の幅よりもアンテナベース面４６の幅の方が大きい。アンテナユニット５０は、前縁部をアンテナベース面４６と外囲面４５ａの段差に沿わせ、上縁部をアンテナベース面４６と外囲面４５ｂの段差に沿わせた位置に定めて、アンテナベース面４６に固定される。この位置にアンテナユニット５０を固定すると、ガイド板５５が枠状凹部４８内に収まり、第２磁性シート５２ｂの下端がアンテナベース面４６の下端（外囲面４５ｃに隣接する位置）の近傍に位置する。また、図１１に示すように、アンテナユニット５０の後縁部と前カバー４０の側面露出部４４の間には隙間が形成され、この隙間に非金属製のスペーサ４９が配置される。
【００３３】
図９、図１０及び図１２に示すように、アンテナユニット５０をアンテナベース面４６に固定した状態で、２本のリード線５４は貫通穴４７を通して前カバー４０の内側に挿入される。そして、貫通穴４７に対して前カバー４０の内面側（図９と図１０で見えている側）から接着剤５６（図１２）を注入する。接着剤５６によって、ガイド板５５が固定されると共に、各リード線５４の根元部分の強度が向上して断線などのリスクが低減される。接着剤５６は貫通穴４７の全体を埋めるように充填され、接着剤５６が硬化した状態で貫通穴４７を液体が通らない液密構造になる。なお、貫通穴４７の全体ではなく、貫通穴４７の内周の４辺に沿う枠状の領域にのみ接着剤を注入して液密構造にさせることも可能である。この場合、貫通穴４７の上辺部分に接着剤を注入することで、アンテナ端子５３から上方に向けて延設される各リード線５４の固定も同時に行うことができる。また、本実施形態では前カバー４０の外面側の枠状凹部４８には接着剤を注入していないが、枠状凹部４８に接着剤を注入することも可能である。
【００３４】
以上のように構成した前カバーユニット６０が、カメラ本体１０の外装部材として取り付けられる。前カバーユニット６０の取り付けに際しては、図１０に示すように、前カバー４０の内側に突出する２本のリード線５４の端部がそれぞれ、回路基板３６（グリップ上部基板）上の端子に半田付けで接続され、各リード線５４を介してアンテナ基板５１と回路基板３６との間で信号の通信が可能になる。各リード線５４を接着剤５６によって前カバー４０に固定しておくことで、回路基板３６への接続に際して各リード線５４が引っ張られたときに、アンテナ端子５３に接続する各リード線５４の根元部分（半田付け部分）への負荷を軽減できる。
【００３５】
近距離無線通信の特性上、リード線の位置の差によってＬ成分やＣ成分などのバラツキが発生するため、これらを抑制するべく、アンテナ基板５１から延設されるリード線５４はできるだけ短い方が好ましい。図１０に示すように、回路基板３６のうち各リード線５４が接続されるグリップ上部基板はグリップ部１６の上部に配置されているため、各アンテナ端子５３をアンテナユニット５０の上端付近に設定することでグリップ上部基板までの距離を小さくし、各リード線５４の長さを抑えることができる。
【００３６】
外装ゴム部材３７以外の外装部材をカメラ本体１０に取り付けた状態が図４である。この状態で、アンテナユニット５０はグリップ部１６の側面に露出している。グリップ部１６では、前カバー４０の側面露出部４４が後カバー４１の前縁部分と重なり、側面露出部４４に形成したビス穴４４ａに固定用のビスを挿通することで前カバー４０と後カバー４１が締結される。前カバー４０と後カバー４１と上カバー４２と下カバー４３の組み合わせ部分はそれぞれ不図示のシール材で液密構造とされており、カード蓋３１、レリーズ蓋３２、コネクタ蓋３３、端子蓋３４の各蓋部も閉じた状態では液密構造となっている。加えて、前述のように貫通穴４７も接着剤５６（図１２）によって液密構造とされており、カメラ本体１０の外装部分は、マウント部１１の撮影用開口を除いて液密性が確保されている。
【００３７】
そして前カバー４０の外装ゴム支持部４５とアンテナベース面４６（凹部４６ａ）の外側に外装ゴム部材３７を取り付けると、図１から図３に示すカメラ本体１０の完成状態になる。この状態では外装ゴム部材３７の側面形成部分３７ｂによってアンテナユニット５０が覆われ、カメラ本体１０の外観にはアンテナユニット５０が露出しない。外装ゴム部材３７の側面形成部分３７ｂの外面には、アンテナユニット５０に対応する位置に近距離無線通信規格を表す識別マーク３９が設けられている。識別マーク３９はアンテナ基板５１の理論上の感度中心に位置している。この感度中心は、グリップ部１６の高さ方向（上下方向）の略中心に位置している。グリップ部１６の上下方向に長い形状であるアンテナユニット５０のうち、アンテナ基板５１は感度中心に対して下方よりも上方への長さが大きくなるように配置されている（図１２参照）。これによりアンテナ基板５１の上端から回路基板３６のグリップ上部基板までの距離を小さくし、アンテナ基板５１上端のアンテナ端子５３とグリップ上部基板を接続する各リード線５４の長さを抑える効果が得られる。
【００３８】
以上のカメラ本体１０では、金属製の前カバー４０の表面（アンテナベース面４６）に磁性シート５２とアンテナ基板５１を順に積層した形態でアンテナユニット５０を支持し、アンテナユニット５０の外側を非金属製の外装ゴム部材３７で覆う構成としたので、前カバー４０などの金属製の外装部材が通信障害の原因となることを防止できる。前カバー４０のアンテナベース面４６とアンテナ基板５１の間に磁性シート５２が配置されることで、通信性能も確保される。磁性シート５２を構成する第２磁性シート５２ｂをアンテナ基板５１よりも大きい（上下方向に長い）サイズにすることで、より優れた通信性能が得られる。また、アンテナユニット５０を表面上に支持する前カバー４０にはアンテナ基板５１を露出させるための開口部が形成されないので、前カバー４０の強度低下を防ぐことができる。本実施形態の前カバー４０にはリード線５４を通すための貫通穴４７が形成されるが、リード線５４の挿通に必要なスペースはアンテナ基板５１の面積に比して遥かに小さいので、貫通穴４７の開口面積は小さく、前カバー４０の強度に大きな影響を及ぼさない。
【００３９】
アンテナユニット５０をアンテナベース面４６上に固定した状態で、アンテナ基板５１は、略矩形をなす凹部４６ａを囲む４辺のうち３辺に隣接する外囲面４５ａ，４５ｂ及び４５ｃよりも側方（右側）へ突出して位置している（アンテナ基板５１と外囲面４５ａの位置関係について図１１を参照）。つまりアンテナユニット５０は、前カバー４０に形成した凹部４６ａ内に支持されつつ、アンテナ基板５１については、その外縁部分が凹部４６ａの内壁部分に囲まれずに前カバー４０の外方へわずかに突出するように構成されている。これにより、アンテナ基板５１での通信に対して金属製の前カバー４０が及ぼす影響をより効果的に排除することができ、高い通信性能を得ることができる。外装ゴム部材３７の側面形成部分３７ｂの内面側には、このアンテナ基板５１の突出形状に対応して凹設した内面凹部３７ｃが形成されており（図１１及び図１２参照）、アンテナユニット５０は、外装ゴム部材３７の内面凹部３７ｃと前カバー４０の凹部４６ａの間に収まる形で格納される。
【００４０】
なお、図１１から分かるように、略矩形の凹部４６ａを囲む４辺のうち、後方の１辺に沿って位置する側面露出部４４は、アンテナ基板５１よりも側方（右側）への突出量が大きく、アンテナ基板５１の後方延長上に側面露出部４４が位置している。ここで、前述のようにアンテナユニット５０を前後方向において外囲面４５ａ側に寄せて配置することで、側面露出部４４からアンテナユニット５０の後縁部までの距離（スペーサ４９が挿入される隙間）が確保されるように設定している。このように距離を確保することで、金属製の前カバー４０の一部である側面露出部４４がアンテナ基板５１での通信に及ぼす影響を軽減させることができる。
【００４１】
本実施形態のカメラ本体１０のような撮像装置では、グリップ部１６の側面をアンテナユニット５０の設置箇所として選択することが好ましい。所望の通信性能を満たすアンテナユニット５０を支持するためには、ある程度大きな面積の支持面（アンテナベース面４６）が必要である。カメラ本体１０の上面にはペンタプリズム部１８や各種ダイヤルなどの操作部材が密に配置されており、カメラ本体１０の後面には液晶モニタ１５や各種ボタンなどの操作部材が密に配置されている。そのため、カメラ本体１０の上面や後面にはアンテナユニット５０を配置することが難しい。また、カメラ本体１０の前面にはミラーボックス１２の突出形状とマウント部１１が設けられており、撮影用の光路やクイックリターンミラー１３の駆動機構などと干渉せずにアンテナユニット５０を配置することが難しい。また、カメラ本体１０の下面には電池蓋や三脚ネジ穴が配置されており、特に三脚の使用状態では雲台によってカメラ本体１０の下面が覆われてしまうので、アンテナユニット５０の設置箇所として適さない。カメラ本体１０の左側面となる左側突出部１７の側面上には、上下方向の略全域に亘ってコネクタ蓋３３や端子蓋３４が設けられていて、これもアンテナユニット５０の設置が難しい。一方、カメラ本体１０の右側面となるグリップ部１６の側面は左側突出部１７の側面よりも前後方向に幅広であり、カード蓋３１とレリーズ蓋３２はグリップ部１６の側面のうち後縁側に寄せて配置されており、グリップ部１６の前部を構成する指掛け部１６ａの側面には操作部材や蓋部などが設けられていない。従って、このグリップ部１６における指掛け部１６ａの側面部分が、アンテナユニット５０の設置箇所として適した条件を備えている。
【００４２】
図１１に示すように、グリップ部１６の側面のうち、アンテナユニット５０を支持する指掛け部１６ａの側面は、撮影光学系の光軸Ｏに対してやや傾いている。具体的には、前カバー４０の後端に位置する側面露出部４４から前方に進むにつれて徐々に光軸Ｏに接近する方向（逆に言えば、光軸方向前方から後方に進むにつれて光軸Ｏから離れる方向）への傾きを有している。図１１に示す一点鎖線Ｐは、この指掛け部１６ａの側面に位置するアンテナベース面４６の傾斜方向を示したものであり、アンテナベース面４６やその上に支持されるアンテナユニット５０が、光軸Ｏに対して傾斜していることが分かる。
【００４３】
図１１は、カメラ本体１０と外部通信機器７０の間で近距離無線通信を行う状態を示している。外部通信機器７０は携帯電話、スマートフォン、タブレット型コンピュータなどの電子機器であり、カメラ本体１０と同様に外部通信機器７０では、近距離無線通信用のアンテナを内蔵すると共に近距離無線通信規格を示す識別マークが外面に表示されている。この外部通信機器７０の識別マークをカメラ本体１０の識別マーク３９に近接させている状態が図１１であり、外部通信機器７０はグリップ部１６の指掛け部１６ａの側面に沿う形でカメラ本体１０に接している。より詳しくは、外部通信機器７０は外装ゴム部材３７の側面部分３７ｂとその後方の側面露出部４４に当接しており、側面部分３７ｂと側面露出部４４の間にわずかな段差があるため、光軸Ｏに対する外部通信機器７０の傾きは一点鎖線Ｐよりも少し大きくなっている。グリップ部１６の側面のうち後カバー４１で覆われる後方部分には吊り金具１９が突出しているため、図１１に示すような傾き（光軸方向後方に位置する吊り金具１９に近づくにつれて光軸Ｏから離れる方向の傾き）をもってグリップ部１６に外部通信機器７０を近接させることで、外部通信機器７０が吊り金具１９に干渉しにくくなり、使いやすさが向上する。また、アンテナユニット５０の感度中心に対応する識別マーク３９がグリップ部１６の上下方向の略中心に位置しているため、上下方向においても通信時に外部通信機器７０を接触させやすい位置設定となっている。
【００４４】
以上、図示実施形態に基づいて本発明を説明したが、本発明は図示実施形態に限定されるものではない。例えば、図示実施形態のカメラ本体１０は、前カバー４０、後カバー４１、上カバー４２、下カバー４３などの主要な外装部材（第１外装部材）が金属で形成されているが、金属以外の材質からなる第１外装部材に対して無線通信に影響を及ぼす処理が施されているような電子機器にも本発明を適用可能である。この種の具体的な形態として、非金属（例えば合成樹脂）製の第１外装部材の外面を金属粉を含む塗料で塗装した場合や、電子機器内部の電磁波吸収を行うために、非金属（例えば合成樹脂）製の第１外装部材の内面に電磁波吸収性の高い材質を含む塗料を塗った場合などが挙げられる。このような塗装を有する第１外装部材の表面に無線通信用のアンテナを支持し、その外側を無線通信を妨害しない非金属製の第２外装部材で覆うことにより、先に説明した実施形態と同様の効果が得られる。
【００４５】
図示実施形態ではアンテナユニット５０の設置位置としてカメラ本体１０のグリップ部１６の側面を選択しているが、カメラ本体１０においてアンテナユニット５０の設置に適した領域が他に存在する場合には、グリップ部１６の側面以外の場所にアンテナユニット５０を配してもよい。一例として、コネクタ蓋３３や端子蓋３４による制約が無い場合には、左側突出部１７にアンテナユニット５０を設けることも可能である。この場合、アンテナユニット５０を覆う第２外装部材として外装ゴム部材３８を用いるとよい。また、カード蓋３１やレリーズ蓋３２による制約が無い場合には、グリップ部１６の側面のうち前カバー４０ではなく後カバー４１の領域にアンテナユニット５０を配置することも可能である。
【００４６】
また、図示実施形態のアンテナユニット５０では、磁性シート５２を第１磁性シート５２ａと第２磁性シート５２ｂの２層構造にして厚みを確保しているが、単層構造や３層以上の構造の磁性シートを用いることも可能である。
【００４７】
アンテナの通信性能という面では、第１外装部材に対してアンテナが離れていることが好ましいので、第１外装部材の表面からのアンテナの突出量を大きくすることが有効である。一方、第１外装部材に対するアンテナの突出量が大きすぎると、その外側を外装ゴム部材３７のような弾性のある第２外装部材で覆ったときに、アンテナの段差が目立って外観が損なわれたり、外力に対するアンテナの保護が不足したりするおそれがある。図示実施形態では、前カバー４０の表面上に凹設した凹部４６ａの底面としてアンテナベース面４６を形成しつつ、凹部４６ａからアンテナ基板５１がわずかに突出するようにアンテナユニット５０の厚みを設定して、通信性能やアンテナの保護に関するバランスをとっている。また、図示実施形態のグリップ部１６の指掛け部１６ａの側面は湾曲した外形形状を有しているので、平面形状のアンテナベース面４６を得るという観点でも凹部４６ａを形成することが有効である。しかし条件によっては、凹部を形成せずに第１外装部材の表面上に直接にアンテナユニット５０を支持する構成を選択することも可能である。例えば、アンテナユニット５０が極めて薄型である場合や、外装ゴム部材３７に相当する第２外装部材が硬質な材質からなり、第２外装部材側でアンテナユニット５０を保護する十分な堅牢性を得られる場合などが、この条件に合致する。別言すれば、本発明は第２外装部材がゴム製でない形態にも適用が可能である。
【００４８】
図示実施形態のアンテナ設置構造は撮像装置であるデジタルカメラに適用したものである。本発明を適用すれば、光路となる撮影用開口とは異なる位置にアンテナを設置できるので撮像装置での有効性が高いが、撮像装置以外の電子機器に適用することも可能である。例えば、撮像機能を備えないパーソナルコンピュータなどに適用してもよい。また、撮像装置に適用する場合に、レンズ交換式カメラのカメラ本体だけでなく、外部との通信機能を備えている交換式レンズなどに適用することもできる。
【００４９】
図示実施形態は、いわゆる近距離無線通信（NFC）用のアンテナ配置を対象としているが、本発明を適用する無線通信はこれに限定されるものではない。例えば、「Wi-Fi」、「Zigbee」、「Bluetooth」、「ANT」、「ANT+」、「Enocean」として商標登録されているものや、「Bluetooth Low Energy」として知られるものなど、数百ＭＨｚ（メガヘルツ）から数ＧＨｚ（ギガヘルツ）帯を利用する通信に広く適用することができる。
【符号の説明】
【００５０】
１０  カメラ本体
１１  マウント部
１２  ミラーボックス
１３  クイックリターンミラー
１４  接眼窓
１５  液晶モニタ
１６  グリップ部
１６ａ  指掛け部
１７  左側突出部
１８  ペンタプリズム部
１９  吊り金具（突起部）
２０  吊り金具
２１  電源スイッチ
２２  レリーズボタン
２３  押しボタン
２４  コマンドダイヤル
２５  リモコン受光窓
３１  カード蓋
３２  レリーズ蓋
３３  コネクタ蓋
３４  端子蓋
３６  回路基板
３７  外装ゴム部材（第２外装部材、グリップゴム）
３７ａ  開口部
３７ｂ  側面形成部分
３７ｃ  内面凹部
３８  外装ゴム部材
３９  識別マーク
４０  前カバー（第１外装部材）
４１  後カバー
４２  上カバー
４３  下カバー
４４  側面露出部
４４ａ  ビス穴
４５  外装ゴム支持部
４５ａ  ４５ｂ  ４５ｃ  外囲面
４６  アンテナベース面（支持面）
４６ａ  凹部
４７  貫通穴
４８  枠状凹部
５０  アンテナユニット
５１  アンテナ基板（アンテナ部）
５２  磁性シート（基部）
５２ａ  第１磁性シート
５２ｂ  第２磁性シート
５３  アンテナ端子
５４  リード線
５５  ガイド板
５６  接着剤
６０  前カバーユニット
７０  外部通信機器
Ｏ  光軸
【図１】
2017011659.tif 000003
【図２】
2017011659.tif 000004
【図３】
2017011659.tif 000005
【図４】
2017011659.tif 000006
【図５】
2017011659.tif 000007
【図６】
2017011659.tif 000008
【図７】
2017011659.tif 000009
【図８】
2017011659.tif 000010
【図９】
2017011659.tif 000011
【図１０】
2017011659.tif 000012
【図１１】
2017011659.tif 000013
【図１２】
2017011659.tif 000014